(57)【要約】よりクライアントに合ったアドバイスメッセージを作成することができる健康管理サーバを提供する。本発明の健康管理サーバは、メッセージアプリケーションを有する端末とネットワークを介して接続された健康管理サーバであって、端末を有する健康管理対象者の健康管理対象者情報および質問情報および回答情報を記憶する記憶部と、端末から送信された画像情報またはメッセージ情報をメッセージアプリケーションを介して受信する受信部と、受信したメッセージ情報に基づいて言語情報を解析し、解析した言語情報から質問情報を取得する解析部と、取得した質問情報に対応する回答情報を抽出し、抽出した回答情報に基づいて文例を生成する生成部と、抽出された回答情報を、回答情報の確からしさを示す確信度で評価する評価部と、前記文例を、前記メッセージアプリケーションに送信する送信部とを備える。
2017022140.tif 000002
【特許請求の範囲】
【請求項１】
メッセージアプリケーションを有するユーザ端末とネットワークを介して接続された健康管理サーバであって、
前記端末を有する健康管理対象者の質問情報および回答情報を記憶する記憶部と、
前記メッセージアプリケーションを介して送信された画像情報またはメッセージ情報を受信する受信部と、
前記受信したメッセージ情報に基づいて言語情報を解析し、該解析した言語情報から前記質問情報を取得する解析部と、
前記取得した質問情報に対応する前記回答情報を抽出し、該抽出した回答情報に基づいて文例を生成する生成部と、
前記抽出された回答情報を、該回答情報の確からしさを示す確信度で評価する評価部と、
前記文例および前記評価を、前記メッセージアプリケーションに送信する送信部とを備える
健康管理サーバ。
【請求項２】
請求項１に記載の健康管理サーバであって、
前記記憶部は、前記健康管理者の健康管理者情報を更に記憶しており、
前記健康管理サーバは、前記文例および前記評価を、前記健康管理対象者情報に基づいて補正する補正部を更に備え、
前記送信部は、補正された前記文例および前記評価を、前記端末に対して送信する、
健康管理サーバ。
【請求項３】
請求項２に記載の健康管理サーバであって、
前記健康管理サーバは、前記メッセージアプリケーションを介して、前記端末の表示部に、前記補正された文例および評価を表示出力する
健康管理サーバ。
【請求項４】
請求項３に記載の健康管理サーバであって、
前記送信部は、専門家によって、前記表示部で選択、または、選択および編集された文例および評価を含むアドバイス情報を、前記メッセージアプリケーションに対して送信する
健康管理サーバ。
【請求項５】
請求項２に記載の健康管理サーバであって、
前記評価部は、前記評価の確信度の一定の水準に対する高低を判定し、前記判定結果に基づいて、文例を補正するか、または、アラートメッセージを生成し専門家に通知するかのいずれか一つを選択するものであって、
前記補正部は、前記評価部が文例を補正することを選択した場合、前記判定結果および回避のための回答情報に基づいて前記文例を補正するものであって、
前記送信部は、前記評価部が前記専門家にアラートメッセージを通知することを選択した場合、前記専門家の端末に対して、前記アラートメッセージを通知する
健康管理サーバ。
【請求項６】
請求項２乃至請求項５のいずれかに記載の健康管理サーバであって、
前記受信部は、前記端末から専門家の文例選択情報、健康管理対象者の行動選択情報、行動実行情報および生体ログ情報を受信するものであって、
前記評価部は、前記受信した文例選択情報、行動選択情報、行動実行情報および生体ログ情報、または、これらの情報のタイムスタンプを基に組み合わせを行い、該組み合わせた文例選択情報、行動選択情報、行動実行情報および生体ログ情報と紐づく回答情報に対して評価する
健康管理サーバ。
【請求項７】
請求項２乃至請求項６のいずれかに記載の健康管理サーバであって、
前記画像情報は、前記端末で撮影されたものであって、
前記解析部は、前記撮影された画像情報の特徴を算出し、該特徴および前記質問情報に基づいて、言語情報を解析する
健康管理サーバ。
【請求項８】
請求項２乃至請求項７のいずれかに記載の健康管理サーバであって、
前記健康管理サーバは健康管理対象者毎の回答情報の使用頻度を算出する算出部を備え、
前記記憶部は、前記健康管理対象者の前記回答情報の過去の使用履歴および使用頻度を使用履歴情報として記憶するものであって、前記補正部は、前記使用履歴情報に基づいて文例を補正する
健康管理サーバ。
【請求項９】
請求項２乃至請求項８のいずれかに記載の健康管理サーバであって、
前記受信部は、予めグルーピングされた複数の端末から送信された画像情報またはメッセージ情報を受信するものであって、
前記評価部は、端末に送信された文例と同一または類似もしくは相対する文例を、所定の時間内に送信されたグループ内の端末を特定し、該特定した端末を保有する健康管理対象者を比較対象者として判定し、
前記補正部は、前記文例および評価に対して、さらに前記比較対象者情報に基づいて補正する
健康管理サーバ。
【請求項１０】
メッセージアプリケーションを有するユーザ端末とネットワークを介して接続された健康管理サーバであって、
前記端末を有する健康管理対象者の質問情報および回答情報を記憶する記憶部と、
前記メッセージアプリケーションを介して送信された画像情報またはメッセージ情報を受信する受信部と、
前記受信したメッセージ情報に基づいて言語情報を解析し、該解析した言語情報から前記質問情報を取得する解析部と、
前記取得した質問情報に対応する前記回答情報を抽出し、該抽出した回答情報に基づいて文例を生成する生成部と、
前記文例を、前記メッセージアプリケーションに送信する送信部とを備える
健康管理サーバ。
【請求項１１】
請求項１乃至請求項１０のいずれかに記載のメッセージアプリケーション。
【請求項１２】
請求項１１に記載のメッセージアプリケーションを備えるユーザ端末。
【請求項１３】
メッセージアプリケーションを有する端末とネットワークを介して接続された健康管理サーバの制御方法であって、
前記端末を有する健康管理対象者の健康管理対象者情報および質問情報および回答情報を記憶する記憶ステップと、
前記端末から送信された画像情報またはメッセージ情報を前記メッセージアプリケーションを介して受信する受信ステップと、
前記受信したメッセージ情報に基づいて言語情報を解析し、該解析した言語情報から前記質問情報を取得する解析ステップと、
前記取得した質問情報に対応する前記回答情報を抽出し、該抽出した回答情報に基づいて文例を生成する生成ステップと、
前記抽出された回答情報を、該回答情報の確からしさを示す確信度で評価する評価ステップと、
前記文例および前記評価を、前記メッセージアプリケーションに対して送信する送信ステップとを含む健康管理サーバの制御方法。
【請求項１４】
メッセージアプリケーションを有する端末とネットワークを介して接続された健康管理プログラムであって、
コンピュータに、
前記端末を有する健康管理対象者の健康管理対象者情報および質問情報および回答情報を記憶する記憶機能と、
前記端末から送信された画像情報またはメッセージ情報を前記メッセージアプリケーションを介して受信する受信機能と、
前記受信したメッセージ情報に基づいて言語情報を解析し、該解析した言語情報から前記質問情報を取得する解析機能と、
前記取得した質問情報に対応する前記回答情報を抽出し、該抽出した回答情報に基づいて文例を生成する生成機能と、
前記抽出された回答情報を、該回答情報の確からしさを示す確信度で評価する評価機能と、
前記文例および前記評価を、前記メッセージアプリケーションに対して送信する送信機能とを実現させる健康管理プログラム。
【発明の詳細な説明】
【技術分野】
【０００１】
本発明は、健康管理サーバ及びその制御方法並びに健康管理メッセージアプリケーションプログラムに関し、特に、メッセージアプリケーションを利用してユーザの健康管理を行うものに関する。
【背景技術】
【０００２】
近年、ダイエットやメタボリックシンドロームの予防等の健康意識の高まりを受けて、専門家の指導を受ける健康指導サービスが普及している。また、IT化に伴い、専門家とクライアントが直接対面することなく、オンライン上で健康指導サービスを受けるケースが増加している。【０００３】
このような健康指導サービスにおいて、専門家は、オンライン端末からクライアントが摂取した食事や現在の健康状態等を確認し、当該確認結果に基づいて指導のためのメッセージを作成し、クライアントのオンライン端末にメッセージを送る必要がある。【０００４】
このようなメッセージの作成および送信技術として、例えば、特許文献１には、医師が遠隔にいる患者に健康管理のアドバイスメッセージを送るため、データベースサーバ装置が、当該患者から生体情報を受信して、受信した生体情報に対応する健康管理の雛形メッセージを生成する技術が開示されている。また、この文献には、生成された雛形メッセージを医師が取得し、アドバイスメッセージとして編集可能とすることが開示されている。【０００５】
また、特許文献２には、ポインティングデバイスが、ポイント制御中に各部の処理状況として、計測した生体信号、特徴パターン部、ニュートラルネットの出力、移動方向推定結果または移動量のいずれか一つをグラフィカルに使用者に提示するフィードバック部を備える技術が開示されている。
【先行技術文献】
【特許文献】
【０００６】
【特許文献１】特開２００４−３２１３７３公報
【特許文献２】特開２００５−０１１０３７公報
【発明の概要】
【発明が解決しようとする課題】
【０００７】
しかしながら、特許文献１記載の発明では、データベースサーバ装置が、生体情報に対応する健康管理の雛形メッセージを生成することで、医師が一人一人の患者に対して、それぞれ一からアドバイスメッセージを作成する必要はなく標準化および効率化が図られているものの、雛形メッセージは予め保存されたメッセージ文から生成されるため、雛形メッセージ文をそのバリエーション分、人が予め作成し保存する必要があり効率化が図りきれていない問題がある。また、当該データベース装置は、患者毎の生体情報の特徴および当該生体情報の変化等に応じて流動的にその患者に最も適した雛形メッセージを生成できないという問題がある。【０００８】
また、特許文献２記載の発明において、使用者にフィードバックをすることで、方向推定精度の向上および軌道誤差の減少等、ひいては操作性の向上を図ることが可能であるが、当該フィードバックは、ポインティングデバイス自身の精度向上にはなんら貢献しておらず、ポインティングデバイス自身の使用性は変わらないという問題がある。【０００９】
そこで、本発明は、上記問題に鑑みてなされたものであり、指導のためのメッセージの作成および送信にあたって、クライアントの生体情報、食事および健康状態等から、専門家のアドバイスメッセージを作成することの標準化および効率化を図ることができ、かつ、対象のクライアントの当時の健康状態等に最も適したアドバイスを提供する支援ができるサーバを提供することと、フィードバックによって健康指導サービス自身の精度の向上を図ることを目的とする。
【課題を解決するための手段】
【００１０】
本発明によれば、メッセージアプリケーションを有するユーザ端末とネットワークを介して接続された健康管理サーバであって、前記端末を有する健康管理対象者の質問情報および回答情報を記憶する記憶部と、前記メッセージアプリケーションを介して送信された画像情報またはメッセージ情報を受信する受信部と、前記受信したメッセージ情報に基づいて言語情報を解析し、該解析した言語情報から前記質問情報を取得する解析部と、前記取得した質問情報に対応する前記回答情報を抽出し、該抽出した回答情報に基づいて文例を生成する生成部と、前記抽出された回答情報を、該回答情報の確からしさを示す確信度で評価する評価部と、前記文例および前記評価を、前記メッセージアプリケーションに送信する送信部とを備える健康管理サーバが得られる。【００１１】
また、本発明によれば、メッセージアプリケーションを有するユーザ端末とネットワークを介して接続された健康管理サーバであって、前記端末を有する健康管理対象者の質問情報および回答情報を記憶する記憶部と、前記メッセージアプリケーションを介して送信された画像情報またはメッセージ情報を受信する受信部と、前記受信したメッセージ情報に基づいて言語情報を解析し、該解析した言語情報から前記質問情報を取得する解析部と、前記取得した質問情報に対応する前記回答情報を抽出し、該抽出した回答情報に基づいて文例を生成する生成部と、前記文例を、前記メッセージアプリケーションに送信する送信部とを備える健康管理サーバが得られる。【００１２】
また、本発明によれば、本発明による健康管理サーバと通信を行う機能を有するメッセージアプリケーションが得られる。【００１３】
また、本発明によれば、本発明によるメッセージアプリケーションを備えるユーザ端末が得られる。
【発明の効果】
【００１４】
本発明に係る健康管理サーバおよび健康管理サーバ制御方法並びに健康管理プログラムは、専門家のアドバイスメッセージの作成において、蓄積したベストプラクティスに基づいて、クライアント（健康管理対象者）または専門家からの問合せに対する回答となる文例を生成し、当該生成した文例をクライアントの特徴（生体情報、食事および当時の健康状態等）でカスタマイズして専門家に送信することができる。したがって、専門家のアドバイスメッセージ作成および送信において、標準化および効率化を図ることができ、かつ、よりクライアントに合った指導を行うことができる。【００１５】
また、本発明に係る健康管理サーバおよび健康管理サーバ制御方法並びに健康管理プログラムは、クライアントのアドバイスの選択結果および実行結果並びに生体の変化のフィードバックにより学習することが可能なため、精度の向上を自動的に図れる健康指導サービスを提供することができる。
【図面の簡単な説明】
【００１６】
【図１】本発明の第１の実施の形態による健康管理システムの構成を示す図である。
【図２】図１のユーザ端末（健康管理者側）の画面表示図である。
【図３】健康管理サーバおよび端末の機能構成を示すブロック図である。
【図４】健康管理者と健康管理サーバまたは専門家とのやり取りを説明するための模式図である。
【図５】健康管理サーバへのフィードバックを説明するための模式図である。
【図６】行動選択情報、行動実行情報および生体ログ情報の組み合わせ例を示す模式図である。
【図７】健康管理対象者情報および学習情報のデータ構成例を示すデータ概念図である。
【図８】回答情報の評価の補正例を示す模式図である。
【図９】メッセージ情報、言語情報、質問情報、回答情報および文例の関係の例を示す模式図である。
【図１０】サーバの動作を示すフローチャートである。
【図１１】遺伝子検査アルゴリズムの例を示す模式図である。
【図１２】血液検査アルゴリズムの例を示す模式図である。
【図１３】コンテンツ配信アルゴリズムの例を示す模式図である。
【図１４】本発明の第２に実施の形態による健康管理システムのユーザ端末の機能構成を示すブロック図である。
【図１５】図１４のユーザ端末の動作を示すフローチャートである。
【図１６】図１４のユーザ端末に接続され得るサーバの例を示す図である。
【発明を実施するための形態】
【００１７】
以下、本発明の第１の実施の形態による健康管理システムについて、図面を参照しながら説明する。
【００１８】
＜第１の実施の形態＞
図１は、第１の実施の形態による健康管理システムのシステム構成を示すシステム図である。
【００１９】
＜概要＞
図１に示すように、健康管理システムは、健康管理サーバ１００、複数のユーザ端末２００、３００を含む。健康管理サーバ１００は、ネットワーク４００を介してユーザ端末２００およびユーザ端末３００と接続される。なお、図１において、説明を簡単にするために、ユーザ端末は２台だけ示してあるが、これ以上存在してもよいことは言うまでもない。また、ユーザ端末２００およびユーザ端末３００双方の具体的な機器は、図示のように、携帯端末およびパーソナルコンピュータに限定されず、例えば、スマートフォン、タブレット端末、パーソナルコンピュータ、その他の電子機器であってもよい。さらに、ユーザ端末２００の具体的な機器は、ウェラブル機器であってもよく、当該ウェアラブル機器は、健康管理対象者の心拍および脈拍、血圧、歩数および活動量、姿勢、位置および移動並びに位置情報を計測する機器を含む。
【００２０】
ここで、例えば、ユーザ端末２００は、健康管理対象者が保有する端末を示しているとし、また、ユーザ端末３００は、専門家が保有する端末を示しているとする。ユーザ端末２００は、テキスト入力又は音声入力等の入力形式を受け付けるメッセージアプリケーション（チャットアプリケーション）を有している。健康管理対象者は、例えば現在摂取すべき食事を問い合わせる質問メッセージをメッセージアプリケーションを介して健康管理サーバ１００に送信する。
【００２１】
サーバ１００は、当該質問メッセージを受信すると、質問メッセージを解析し、それに対応する回答情報から文例を生成し、当該回答情報に対する評価をする。当該文例および評価は、そのままアドバイスメッセージとしてユーザ端末２００に送信するか、または、ユーザ端末３００に表示出力する。後者の場合、専門家は、表示出力された文例および評価から、健康管理対象者に送信すべき文例を選択し、必要に応じて編集する。サーバ１００は、ユーザ端末３００に対し、専門家が選択または編集した文例および評価をアドバイスメッセージとして送信する。アドバイスメッセージがユーザ端末２００に送信されると、当該メッセージも図２に示されるメッセージアプリケーションを介して健康管理対象者に伝達される。
【００２２】
ユーザにより入力されるメッセージとしては、何らかの回答を要求する質問、サーバより受け取ったメッセージに対する肯定又は否定、その他様々なメッセージが入力され得る。サーバ１００は、ユーザより送信されるメッセージに対して最適な回答を行う。例えば、図２に示されるように、ユーザの「おすすめのランチは？」との質問メッセージ２００１に対して、サーバ１００はユーザの行動履歴等を参照し「今日の朝食は野菜が少なかったので、野菜を多く摂りましょう。」という回答する（回答の生成に関する処理については後述する）。これに対して、ユーザが「近くにお店ある？」と質問すると、サーバ１００はユーザ端末２００の位置情報を取得し、近くにある店舗を検索し「和食ならＡ店、イタリアンならＢ店があります。どちらにしますか？」とユーザに対して問いかけるメッセージを送信する。ユーザが「Ａ店で」と回答を入力すると、サーバ１００はユーザ端末２００の現在位置からユーザが選択した店舗（Ａ店）までの経路を表示すべく、ユーザ端末２００に予め備わっている地図アプリを起動する。
【００２３】
このように、サーバ１００がアドバイスメッセージを、または、専門家がユーザ端末３００で選択および編集したアドバイスメッセージを、サーバ１００を介してユーザ端末２００に送信することで、健康管理対象者に健康管理のための指導を行う。なお、当該指導は、健康管理者毎に個別で行ってもよいし、健康管理対象者をグルーピングして、当該グループ単位で指導してもよい。ここで、グルーピングとは、複数の健康管理対象者を対象に、グループ指導を行うための組分けをいう。
【００２４】
＜構成＞
以下、サーバ１００、ユーザ端末２００およびユーザ端末３００の構成について説明する。図３は、サーバ１００、ユーザ端末２００およびユーザ端末３００の機能構成を示すブロック図である。図３に示すように、サーバ１００は、受信部１１０と、解析部１２０と、生成部１３０と、評価部１４０と、補正部１５０と、記憶部１６０と、送信部１７０とを含んで構成される。
【００２５】
受信部１１０は、ネットワーク４００を介して、ユーザ端末２００またはユーザ端末３００から送信された画像情報およびメッセージ情報を受信する。当該送受信における通信は、有線、無線のいずれでもよく、また、互いの通信が実行できるのであれば、どのような通信プロトコルを用いてもよい。
【００２６】
解析部１２０は、ユーザ端末２００またはユーザ端末３００から送られてきたメッセージ情報から、記憶部１６０に記憶された質問情報に基づいて、言語情報を解析し、解析した言語情報、または、解析した言語情報および対象の健康管理対象者の健康管理対象者情報をキーとして該当する質問情報を検索し、取得する機能を有する。ここで言語情報の解析とは、具体的には、メッセージ情報の文章を、より形式的な表現に変換することをいい、例えば、形態素解析および構文解析等の自然言語処理の技術を用いて行えばよい。ここで、質問情報とは、図９に示すように言語情報から回答情報を導き出すための入力情報としてコンピュータが認識できる形式的な要素に分解した言葉等の集合をいう。
【００２７】
また、解析部１２０は、受信部１１０が受信したメッセージ情報だけでなく、受信した画像情報の特徴を算出し、算出した特徴と質問情報および健康管理対象者情報に基づいて、言語情報を解析する機能も有する。
【００２８】
さらに、解析部１２０は、健康管理対象者の生体情報および生体ログ情報より生体の特徴を解析し、生体の特徴値を算出する機能を有する。ここで生体の特徴値および行動の傾向値とは、それぞれ生体情報、生体ログ情報および行動情報から傾向推定等によって算出される値および生活習慣アンケートでヒアリングした自己申告の生体の特徴値または行動の傾向値等をいう。当該算出にあたっては、傾向推定、因子分析、相関分析および統計解析等の分析手法を用いればよい。
【００２９】
生成部１３０は、解析部１２０が解析した言語情報を用いて文例の候補となる回答情報を抽出する。ここで、回答情報とは、質問情報に対応するベストプラクティスとして、質問情報との対応付け、回答内容、当該回答情報に対する過去の評価をいう。また、当該抽出にあたっては、例えば、類出パターン抽出およびクラス分類等のデータマイニング手法を用いてもよい。当該抽出された回答情報から推論により仮説を生成し、当該仮説を質問情報および回答情報より、仮説を裏付けする根拠またはそれを否定する反証を見つけて検証する。当該推論にあたっては、例えば、演繹的推論、帰納的推論および確率的推論等を用いてもよい。これらの文例候補となる回答情報の抽出、仮説の生成および検証は並行処理で同時に複数行われる。当該並行で処理された検証結果を統合し、文例を生成する
【００３０】
評価部１４０は、生成部１３０が抽出した文例の候補となる回答情報を、生成部１３０が見つけたそれを裏付ける根拠および当該回答情報の過去の評価等をもって確信度を評価する。ここで、確信度とは、文例の確からしさを示す程度をいい、データマイニングで相関ルールの重要度を表す指標をいい、質問情報が入力される事象が発生した時に、対応する回答情報が選択され、または、行動される事象が発生する割合をいう。
【００３１】
また、評価部１４０は、図４に示すように、確信度の所定の水準に対する高低を判定し、所定の水準より低いと判定した場合は、文例を記憶部１６０に記憶する回答情報から回避のための回答情報を抽出し、抽出されていた回答情報を上書き補正するか、または、送られてきたメッセージ情報、文例および評価を含めたアラートメッセージを専門家のユーザ端末２００に送信する。
【００３２】
ここで、回避のための回答情報とは、送られてきたメッセージ情報の内容によらず、当該メッセージ内容が理解できなかった旨や適切な応答が見つからなかった旨を表す回答内容を含む回答情報をいう。例えば、「申し訳ありません。お問合せの内容に対する適切な回答が見当たらないため、お手数ですが、お電話にて再度お問合せ願います。」や「申し訳ありません。お問合せの内容を正確に理解するため、再度お問合せ内容を、なるべく具体的な言葉で示した上で再度お問合せ願います。」といった質問に対する回答を回避するために用意されたメッセージ等をいう。
【００３３】
本発明に係る健康管理サーバおよび健康管理サーバ制御方法並びに健康管理プログラムによれば、確信度が一定の水準より低い、例えば、質問に対する誤った回答や適切ではない内容が含まれるメッセージ情報について、そのまま健康管理対象者に送信されることを回避し、精度の高いアドバイスを維持することができる。
【００３４】
さらに、評価部１４０は、図５に示すように、受信部１１０がユーザ端末３００から受信した専門家の文例選択情報、並びに、ユーザ端末２００から受信したメッセージ情報および画像情報に含まれる健康管理対象者の行動選択情報、行動実行情報および生体ログ情報に基づいて、回答情報を評価する。具体的には、評価部１４０は、一例として、図６に示すように、文例選択情報、行動選択情報、行動実行情報および生体ログ情報のタイムスタンプ等を基に組み合わせを行い、当該組み合わせに基づき、評価を行う。なお、当該組み合わせ以外にも、これらの情報単独で評価を行ってもよい。
【００３５】
当該組み合わせは、専門家および健康管理対象者毎に、文例選択情報および当該文例選択情報に対応する行動選択情報のタイムスタンプ等を基準に、所定の時間内のタイムスタンプを保有する行動実行情報および生体ログ情報を組み合わせることができる。ここで、所定の時間とは、１５分、３０分、１時間、３時間または５時間等、設定する時間はどのような時間でもよいが、食事や運動等のライフスタイルに合わせて設定することが好ましい。この時、該当する行動情報および生体ログ情報を受信できなかった場合は、評価なし、または、マイナスの評価として扱うことができる。
【００３６】
当該組み合わせた文例選択情報、行動選択情報、行動実行情報および生体ログ情報に紐づく回答情報に対して、評価部１４０で当初評価した確信度が高い、アドバイスどおり実行されている、または生体がカリキュラム情報にある設定目標に向けて変化した回答情報ほど合目的性が高いとして評価を高くし、確信度が低い、アドバイスどおり実行されていないまたは生体が変化しない回答情報ほど合目的性が低いとして評価を低くすることで、評価部１４０の評価を客観的事実に基づいて、フィードバックすることができる。
【００３７】
例えば、一例として、図６で示すように、お薦めランク、すなわち確信度が最も高いアドバイスを選択し、当該アドバイスどおり行動し、その結果、設定目標に向けた生体の変化が生じた場合は、１００点の評価として重み付け１でフィードバックをし、アドバイスどおり行動し、その結果設定目標に向けた生体の変化が生じたけれども、確信度が最も高いアドバイスでないアドバイスを選択した場合は、前者と比較して低い評価の８０点の評価として重み付け０．８でフィードバックすることができる。なお、これらの組み合わせパターンおよび当該パターンごとの評価値は、適宜設定すればよい。
【００３８】
さらに、評価部１４０は、健康管理対象者のユーザ端末２００がグルーピングされている場合には、ユーザ端末２００に送信した文例と、同一または類似もしくは相対する文例を所定の時間内に送信した同じくグルーピングされている端末を保有する健康管理対象者を比較対象者として判定する。また、ここで、比較対象者とは、同じグループに所属する他の健康管理対象者であって、ライバルとして比較するための同一または類似の指導が必要な健康管理対象者、もしくは、目標とする人または反面教師として比較するための全く相反する指導が必要な健康管理対象者をいう。具体的には、所定の時間内に同一または類似もしくは相対する文例を送信している他の健康管理対象者を比較対象者と判定する。
【００３９】
補正部１５０は、評価部１４０が評価した確信度によるランク付けを健康管理対象者情報および比較対象者情報等で補正する。具体的には、健康管理対象者の生体情報、行動情報、生体ログ情報並びに生体の特徴値および行動の傾向値等に基づいた補正値によって評価を補正し、補正後の評価に基づいてランク付けをし直すこと、または、健康管理対象者の生体情報、行動情報および生体ログ情報並びに比較対象者情報に基づいて文例を補正することをいう。補正処理の詳細は、後述の＜動作の流れ＞で示す。また、健康管理対象者情報については、後述の＜データ＞で示す。
【００４０】
本発明に係る健康管理サーバおよび健康管理サーバ制御方法並びに健康管理プログラムによれば、記憶部１６０に記憶されている健康管理対象者に関する情報で文例および評価を補正することで、健康管理対象者毎に、その時々の状態等に合わせてカスタマイズされたアドバイスメッセージを自動的に送ることが可能なため、健康管理対象者によりフィットしたコンテンツ（メッセージなど）提供することができる。
【００４１】
算出部１５５は、上記文例の使用頻度を算出する機能を有する。具体的には、算出部１５５が、対象の文例が専門家に選択されたことをトリガーとして、カウントアップを行う。また、算出部１５５は、健康管理対象者の健康管理のカリキュラム毎に当該使用頻度のカウントアップを行い、当該カリキュラムが終了した時点でリセットするものであってもよい。
【００４２】
記憶部１６０は、健康管理対象者情報、質問情報および回答情報を記憶する。記憶部１５０は、典型的には、ＨＤＤ（Ｈａｒｄ  Ｄｉｓｃ  Ｄｒｉｖｅ）、ＳＳＤ（Ｓｏｌｉｄ  Ｓｔａｔｅ  Ｄｒｉｖｅ）、フラッシュメモリ等各種の記録媒体により実現される。
【００４３】
送信部１７０は、サーバ１００が生成および補正した文例および評価をアドバイスメッセージとして、または、専門家が選択および編集した文例および評価をアドバイスメッセージとして、ユーザ端末２００に送信する。また、サーバ１００が生成および補正した文例および評価を、ユーザ端末３００に送信する機能を有する。当該送信における通信は、受信部１１０と同じである。
【００４４】
図３に示されるように、ユーザ端末２００は、受信部と、受信部と、行動選択部と、行動実行判定部と、生体ログ蓄積部と、メッセージアプリケーションモジュールとを含んで構成される。
【００４５】
メッセージアプリケーションモジュールは、会話ログ蓄積部及び入出力部を含んでいる。メッセージアプリケーションモジュールは、ユーザと、サーバ１００との間に介在するインターフェースアプリケーションである。取得したユーザからの質問情報をサーバ１００に送信することや、サーバ１００から受信した情報をユーザに伝達する。これらの情報の行き来は、入出力部を介してメッセージによる会話形式で行われる。入出力部を介したメッセージは、例えば、ユーザ端末２００の画面に時系列で表示される。
【００４６】
本実施の形態によるメッセージアプリケーションモジュールは、サーバ１００のみと通信を行うものに限られない。例えば、通常のメッセージアプリケーションの一部又は全部の機能を利用してサーバ１００と通信を行うこととしてもよい。
【００４７】
このように、本実施の形態によれば、サーバ１００やユーザ端末３００とのやりとりの履歴をメッセージアプリケーションに残すことができるため、後から閲覧することにより、徹底した健康管理を行うことができる。また、スマートフォン等に代表されるデバイスなどにおいて使用頻度の高いメッセージアプリケーション用いることにより、ユーザの操作負荷を低減することができる。
【００４８】
図３に示すように、ユーザ端末３００は、表示部３１０を含んで構成される。表示部３１０は、ネットワーク４００を介して、健康管理サーバ１００と通信し、サーバ１００から受信した、文例および評価を表示出力する。
【００４９】
また、表示部３１０は、健康管理対象者がグルーピングされている場合、かつ、比較対象者が判定されている場合には、当該比較対象者に関する情報を表示出力する。具体的には、「○○さんが現在のライバルです」といった様に表示出力する。さらに、表示部３１０は、当該比較対象者の表示出力と併せて、当該比較対象者に所定の時間内に送信した文例が特定された場合には、文例を表示出力する際に、当該特定された文例に関する情報を表示出力する。具体的には、対象の文例の直下等に「ライバルの○○さんに送信されました」といった様に表示出力する。
【００５０】
以上が、健康管理サーバ１００、ユーザ端末２００及びユーザ端末３００の機能構成についての説明である。
【００５１】
＜データ＞
ここで、本実施の形態において、記憶部１６０に記憶される健康管理対象者情報および学習情報のデータ構成について図７に示す。
【００５２】
図７は、記憶部１６０に記憶されている健康管理対象者情報および学習情報のデータ構成の例を示すデータ概念図である。
【００５３】
図７に示すように、健康管理対象者情報は、大きく生体情報、カリキュラム情報、文例使用情報、行動情報および生体ログ情報から構成される。
【００５４】
生体情報は、健康管理対象者の遺伝子情報、血液情報、検診情報（身長および体重）および生活習慣アンケート情報等の健康管理対象者の主観と客観の両面からの健康管理対象者に関する情報から構成され、健康管理対象者の生体に関する情報のうち、基礎となる情報および不変的な情報を含めることができる。
【００５５】
カリキュラム情報は、健康管理対象者が選択したプログラム情報、１以上のプログラム情報が組み合わされたコース情報および設定した目標情報から構成される。
【００５６】
文例使用情報は、文例使用履歴および文例使用頻度から構成され、ここで、文例の使用履歴情報とは、健康管理対象者毎に過去に使用した文例と、当該文例を最後に当該健康管理対象者に使用した最終使用日時のいずれか一つ、または両方をいう。
【００５７】
行動情報は、食事情報（食事時間および食事内容）、位置情報および移動情報並びにログイン情報（ログイン時間およびログイン頻度）から構成される。当該行動情報は、ユーザ端末２００で取得される健康管理対象者の日々の生活での行動に関する情報であり、ユーザ端末２００から受信した食事の内容を示したテキストデータや画像データ、それに付随するタイムスタンプで食事時間を含めたり、ユーザ端末２００に記録されているＧＰＳデータから求められる当時の位置情報およびある時点で計測された位置情報とその次の時点で計測された位置情報から求められる移動情報を含めたり、健康管理サーバ１００が提供するサービスにログインした時間や一定期間内（一日、週間または月間等）のログイン頻度といった情報を含めることができる。さらに、行動情報は、ユーザ端末２００またはログイン先の情報サイトから得られるログインのアクセス履歴や健康管理対象者がサプリメント等健康食品、健康器具、トレーニングマシーンなどを購入した購買履歴を含めることができる。また、行動情報は、ダイエットなど健康管理のためのアプリケーション上のタスクの選択または完了を知らせるユーザ端末２００上でのログイン情報およびログアウト情報を含めることができる。
【００５８】
生体ログ情報は、心拍および脈拍情報、血圧情報、歩数および活動量並びに姿勢情報から構成される。当該生体ログ情報は、健康管理対象者の生体状況とその変化を記録した情報であり、ユーザ端末２００がウェアラブル機器、または、ウェアラブル機器と連携する端末である場合に、当該ウェアラブル機器が当該生体ログ情報を計測し、記録した情報を含めることができる。例えば、生体ログ情報は、ユーザ端末２００に内蔵されている加速度センサーに基づき健康管理対象者の動きを感知して判定する睡眠（レム睡眠またはノンレム睡眠など）情報が含まれる。
【００５９】
以上説明した通り、健康管理対象者情報は、対象の健康管理対象者自身の遺伝子情報、血液情報、検診情報などの生体情報、健康管理対象者が選択したカリキュラム情報、文例使用情報および健康管理対象者自身から取得される行動情報、レセプト情報などの属性情報に限定されない。健康管理対象者情報は、健康管理対象者自身から提供される生体および健康に係る属性情報の他に、ユーザ端末２００から得られる睡眠状態識別情報を含む概念である。さらに、健康管理対象者情報は、サプリメント等健康食品、健康器具、トレーニングマシーン等の購買履歴、ログイン時間、広告・情報ウェブサイトへのクリック率（ＣＴＲ）など、健康管理対象者のユーザ端末２００またはログイン先の情報サイトなどから得られる情報を広く含む概念である。
【００６０】
本発明に係る健康管理サーバおよび健康管理サーバ制御方法並びに健康管理プログラムによれば、これらの情報は、記憶部１６０に記憶されており、各種情報をフィードバックすることで学習することが可能なため、健康管理対象者にタイムリーなコンテンツ（メッセージなど）提供することができるとともに、精度の向上を自動的に図れる健康指導サービスを提供することができる。
【００６１】
ユーザ端末２００質問情報は、図９に示すように言語情報から回答情報を導き出すための入力情報としてコンピュータが認識できる形式的な要素に分解した言葉等の集合をいう。
【００６２】
回答情報は、質問情報との対応付け、回答内容（回答ワードおよび指標）、過去の評価から構成される。質問情報との対応付けは、質問情報と回答情報の紐づけができればよく、例えば、質問情報にシーケンスに振られている番号であってもよい。回答内容は回答ワードおよび指標から構成され、回答ワードは質問に対する出力情報として、例えば、相談または疑問に対する答えとなったり、問合せに対するアドバイスとなったりするレシピ、フィットネス、タスク、レストランの内容を含めることができる。指標は、回答ワードに付随する特性を示すもので、例えば、回答ワードに含まれるタスクの負荷、効率性、容易性、効果、流行性、経済性等の特性を示す数値を含めることができる。過去の評価は、各回答情報がこれまでに受けた評価の集合であり、具体的には、評価部１４０がこれまで算出した確信度の統計等を含めることができる。また、評価部１４０は、当該過去の評価に基づいて、確信度を算出する。
【００６３】
＜動作＞
本実施の形態に係る健康管理サーバ１００の動作を説明する。図１０を用いて、健康管理サーバ１００の動作を説明する。図１０は、健康管理サーバ１００の動作を示すフローチャートである。受信部１１０は、健康管理対象者のユーザ端末２００から送られてきた画像情報またはメッセージ情報を受信する（ステップＳ１１）。受信部１１０は、当該受信した画像情報またはメッセージ情報を解析部１２０に伝達する。
【００６４】
解析部１２０は、当該受信した画像情報またはメッセージ情報から、言語情報を解析し、質問情報を取得する（ステップＳ１２）。例えば、一例として、図９（ａ）で示すように、「運動不足を解消するためには何がお薦めですか」といった健康管理対象者からのお薦めのタスクを問い合わせるメッセージ情報を受信した場合、当該自然言語を処理し、言語情報として、図９（ｂ）で示すように、「運用不足／を／解消／する／ため／には／何／が／お薦め／ですか」といったように形態素に分解し、それぞれの品詞を判別する。当該分解および判別した言語情報および対象の健康管理対象者情報として、例えば、一例として、図９（ｃ）で示すように、年齢２０歳、身長１７０ｃｍ、体重６０ｋｇといった情報を検索キーとして、記憶部１６０に記憶する質問情報から該当する質問情報を検索し、図９（ｄ）で示すように、質問情報を取得する。取得した質問情報は、生成部１３０に伝達する。
【００６５】
生成部１３０は、取得した質問情報から、一例として、図９（ｅ）で示すように、当該質問情報に紐づく回答情報を抽出し、当該抽出された回答情報から仮説を生成し、仮説を裏付ける根拠等をもって検証する（Ｓ１３）。また、生成部１３０は、当該検証した回答情報から一例として、図９（ｆ）で示すように、文例を生成し（ステップＳ１５）、当該生成した文例と評価部１４０が評価した確信度とを併せて補正部１５０に伝達する。なお、図９（ｆ）では、文例の中にアドバイスしたお薦めタスクを選択するラジオボタンを設けており、当該ラジオボタンの指定により情報を取得するものとしているが、当該ラジオボタンに限らず、例えば、健康管理対象者の返信メッセージ情報として、「お薦めタスクのうち、ストレッチをしてみたいと思います。」といったメッセージ情報から、評価部１４０が行動選択情報を取得し、判定してもよい。
【００６６】
評価部１４０は、生成部１３０が抽出した回答情報を、生成部１３０が検証した根拠および当該回答情報の過去の評価等をもって、確信度を評価する（ステップＳ１４）。評価した確信度は、生成部１３０に戻すよう伝達する。
【００６７】
補正部１５０は、文例および評価を健康管理対象者情報に基づいて補正する（ステップ１６）。具体的には、一例として、図８（ａ）に示すように、抽出した回答情報が、ジョギング、ストレッチ、水泳および食事制限の順で確信度が評価された場合、お薦めのランク付けも当該評価順で一旦設定される。ここで、例えば、各お薦めしているタスクの指標の「負荷」に対し、図８（ｃ）に示すように該当する健康管理対象者の行動の傾向値を示したチャートのうち「負荷が高いタスクはアドバイスに反して実施しない傾向にある」と行動が傾向付けられていた場合、お薦めの内容が必ずしも当該健康管理対象者と合致するものになっていない可能性がある。
【００６８】
そこで、当該傾向にある場合は、「負荷」の指標に対してマイナスの重み付けをした上で指標の合計を補正値として算出し、当該補正値を確信度に加える処理等によって確信度を補正することができる。なお、補正の方法は、当該計算方法に限定されることなく、例えば、生体の特徴値または行動の傾向値と、いずれかの指標の値の二つの値の相関係数を、二つの値の共分散および標準偏差から求め、当該相関係数をもって、補正することもできる。補正後の評価に基づき、お薦めのランク付けを図８（ｂ）に示すように入れ替えることで、より健康管理対象者に合致したお薦めのタスクをアドバイスすることができる。なお、当該補正にあたって、タスクに対する健康管理対象者の傾向だけではなく、図８（ｄ）に示すようにタスクを文例に使用した履歴および頻度から補正してもよい。補正した文例および評価は、評価部１４０に戻すよう伝達する。
【００６９】
評価部１４０が、健康管理対象者がグルーピングされているかどうか判定し、グルーピングされている場合（ステップＳ１７のＹＥＳ）には、所定の時間内に同一または類似もしくは相対するイラストを送信しているグループ内の他の健康管理対象者をライバルまたは目標とする人等として比較対象者と判定し、当該判定を補正部１５０に伝達する。
【００７０】
補正部１５０は、当該判定された比較対象者に関する情報で文例および評価を補正する（ステップＳ１８）。具体的には、例えば、文例に比較対象者の名前を指定して、「△△さん（比較対象者名）も、○○さん（健康管理対象者）にお薦めしたジョギングをして頑張っています！」等の文を追加して補正することができる。補正部１５０は、判定および補正した文例および評価を、送信部１７０に伝達する。
【００７１】
送信部１７０は、カリキュラム情報から専門家のフォロー有のカリキュラムか否か判定し、当該フォロー有りのカリキュラムの場合（ステップＳ１９のＹＥＳ）、専門家のユーザ端末３００の表示部３１０に生成および補正した文例および評価を表示出力する（ステップＳ２０）。
【００７２】
表示部３１０に表示出力された文例について、専門家は、健康管理対象者に送信すべきものとして文例を選択し、選択した文例および評価を必要に応じて編集する（ステップＳ２１）。表示部３１０は、選択および編集した文例および評価は、送信部１７０に伝達する。
【００７３】
送信部１７０は、伝達された文例および評価を、ユーザ端末２００に送信する（ステップＳ２２）。以上が、健康管理サーバ１００の動作についての説明である。
【００７４】
図１１に示すように、健康管理サーバ１００は、健康管理対象者の生活習慣アンケート結果と、健康管理対象者の遺伝子検査の検査結果を基にクロス分析を行い、生活習慣、食習慣または運動習慣の改善を目的とした指導を行うための報告書作成の標準化および効率化を図ることができる。具体的には、健康管理サーバ１００は、健康管理対象者の生活習慣アンケート結果から、健康管理対象者の健康に関する悩み、生活習慣の特徴を抽出し、当該抽出した内容と、健康管理対象者の遺伝子検査の結果を記憶部１６０に記憶し、当該記憶したデータをフィルタリングおよびスコアリングすることで、クロス分析を行い、当該分析結果より報告書の作成を自動で行うことで、当該作成の標準化および効率化を図る。当該抽出およびクロス分析は解析部１２０が行い、当該報告書の作成は評価部１４０が行う。
【００７５】
また、図１２に示すように、健康管理サーバ１００は、健康管理対象者の生活習慣アンケート結果と、健康管理対象者の血液検査の検査結果を基にクロス分析を行い、改善すべき習慣の改善および続けるべき習慣の継続を目的とした指導を行うための報告書作成の標準化および効率化を図ることができる。具体的には、健康管理サーバ１００は、健康管理対象者の生活習慣アンケート結果から、健康管理対象者の血液に係る生活習慣を抽出し、当該抽出した内容と、健康管理対象者の血液検査の結果を記憶部１６０に記憶し、当該記憶したデータをフィルタリングおよびスコアリングすることで、クロス分析を行い、当該分析結果より報告書の作成を自動で行うことで、当該作成の標準化および効率化を図る。当該抽出およびクロス分析は解析部１２０が行い、当該報告書の作成は評価部１４０が行う。
【００７６】
また、図１３に示すように、健康管理サーバ１００は、過去に実施した健康管理対象者の行動履歴（以降、「ログ」と記載）、生活習慣アンケート結果、遺伝子検査結果、血液検査結果を基にクロス分析を行い、健康管理対象者が行うダイエットおよび生活習慣活動行動に効果のあるタスク、トレーニングおよびフィットネス動画、理想の食事、ヘルスナレッジを提供することを目的としたコンテンツ配信を行うことで、専門家の指導における負荷軽減を図ることができる。
【００７７】
具体的には、健康管理サーバは、ログ、生活習慣アンケート結果および健康管理対象者の生活習慣アンケート結果から、行動変容および健康管理対象者の悩みを抽出し、当該抽出した内容と、健康管理対象者の遺伝子検査および血液検査の結果を記憶部１６０に記憶し、当該記憶したデータをフィルタリングおよびスコアリングすることで、クロス分析を行い、当該分析結果よりコンテンツ配信を行うことで、専門家の指導における負荷軽減を図る。当該抽出およびクロス分析は解析部１２０が行い、当該コンテンツ配信は送信部１７０が行う。
【００７８】
＜第２の実施の形態＞
第１の実施の形態においては、ユーザ端末２００から送信された質問情報に対する回答生成はサーバ１００が行っていた。しかしながら、第１の実施の形態によるサーバ１００が行っていた処理をユーザ端末２００が行ってもよい。このような端末の構成例を図１４に示す。ユーザ端末２００ａは、健康管理モジュール１０１と、メッセージアプリケーションモジュール１０２と、ユーザ情報モジュール１０３とを有している。以下、第１の実施の形態と同一の要素についてはその説明を省略・簡略化して説明する。
【００７９】
＜概要＞
図１４は、第２の実施の形態による健康管理システムのシステム構成を示すシステム図である。
【００８０】
図１４に示すように、健康管理システムは、ユーザ端末２００ａを含む。ユーザ端末２００ａは、ネットワーク４００を介してユーザ端末３００と接続される。なお、説明を簡単にするために、図にはユーザ端末２００ａのみが示されているが、これ以上存在してもよいことは言うまでもない。例えば、ユーザ端末２００ａにネットワーク４００を介してユーザ端末３００（図１参照）が接続されていてもよい。
【００８１】
第１の実施の形態と同様に、ユーザ端末２００ａは、健康管理対象者が保有する端末を示しているとし、また、ユーザ端末３００は、専門家が保有する端末を示しているとする。ユーザ端末２００ａは、テキスト入力又は音声入力等の入力形式を受け付けるメッセージアプリケーションモジュールの機能によって、例えば現在摂取すべき食事を問い合わせる質問メッセージをメッセージアプリケーション２０２を介して受付け（詳しくは後述する）、健康管理モジュール２０１に送信する。
【００８２】
健康管理モジュール２０１は、当該質問メッセージを受信すると、質問メッセージを解析し、それに対応する回答情報から文例を生成し、当該回答情報に対する評価をする。当該文例および評価は、そのままアドバイスメッセージとしてメッセージアプリケーションモジュール１０２に送信する（図１に示されるようなユーザ端末３００に出力することとしてもよい）。この場合、ユーザ端末３００（図示せず）を有する専門家は、表示出力された文例および評価から、健康管理対象者に送信すべき文例を選択し、必要に応じて編集する。健康管理モジュール１００は、メッセージアプリケーションモジュール１０２に対し、専門家が選択または編集した文例および評価をアドバイスメッセージとして送信する。
【００８３】
＜構成＞
以下、ユーザ端末２００ａの構成について説明する。
【００８４】
健康管理モジュール２０１は、第１の実施の形態によるサーバ１００（図３参照）が有していた機能と同様の機能を有するモジュールであり、解析部１２０と、生成部１３０と、評価部１４０と、補正部１５０と、算出部１５５と、記憶部１６０とを含んでいる。
【００８５】
解析部１２０は、メッセージアプリケーションモジュール２０２から送られてきたメッセージ情報から、記憶部１６０に記憶された質問情報に基づいて、言語情報を解析し、解析した言語情報、または、解析した言語情報および対象の健康管理対象者の健康管理対象者情報をキーとして該当する質問情報を検索し、取得する機能を有する。
【００８６】
生成部１３０は、解析部１２０が解析した言語情報を用いて文例の候補となる回答情報を抽出する。当該抽出にあたっては、例えば、類出パターン抽出およびクラス分類等のデータマイニング手法を用いてもよい。
【００８７】
評価部１４０は、生成部１３０が抽出した文例の候補となる回答情報を、生成部１３０が見つけたそれを裏付ける根拠および当該回答情報の過去の評価等をもって確信度を評価する。
【００８８】
また、評価部１４０は、図４に示すように、確信度の所定の水準に対する高低を判定し、所定の水準より低いと判定した場合は、文例を記憶部１６０に記憶する回答情報から回避のための回答情報を抽出し、抽出されていた回答情報を上書き補正するか、または、送られてきたメッセージ情報、文例および評価を含めたアラートメッセージを専門家のユーザ端末３００に送信する。
【００８９】
本発明に係る健康管理サーバおよび健康管理サーバ制御方法並びに健康管理プログラムによれば、確信度が一定の水準より低い、例えば、質問に対する誤った回答や適切ではない内容が含まれるメッセージ情報について、そのまま健康管理対象者に送信されることを回避し、精度の高いアドバイスを維持することができる。
【００９０】
補正部１５０は、評価部１４０が評価した確信度によるランク付けを健康管理対象者情報および比較対象者情報等で補正する。具体的には、健康管理対象者の生体情報、行動情報、生体ログ情報並びに生体の特徴値および行動の傾向値等に基づいた補正値によって評価を補正し、補正後の評価に基づいてランク付けをし直すこと、または、健康管理対象者の生体情報、行動情報および生体ログ情報並びに比較対象者情報に基づいて文例を補正することをいう。補正処理の詳細及び健康管理対象者情報は、第１の実施の形態による＜動作の流れ＞及び＜データ＞で示したものと同様である。
【００９１】
本発明に係る健康管理システムによれば、記憶部１６０に記憶されている健康管理対象者に関する情報で文例および評価を補正することで、健康管理対象者毎に、その時々の状態等に合わせてカスタマイズされたアドバイスメッセージを自動的に送ることが可能なため、健康管理対象者によりフィットしたコンテンツ（メッセージなど）提供することができる。
【００９２】
算出部１５５は、上記文例の使用頻度を算出する機能を有する。
【００９３】
記憶部１６０は、健康管理対象者情報、質問情報および回答情報を記憶する。
【００９４】
メッセージアプリケーションモジュール２０２は、会話ログ蓄積部及び入出力部を含んでいる。メッセージアプリケーションモジュール２０２は、ユーザと、健康管理モジュール２０１との間に介在するインターフェースアプリケーションである。取得したユーザからの質問情報を健康管理モジュール２０２に送信することや、健康管理モジュール２０１から受信した情報をユーザに伝達する。これらの情報の行き来は、入出力部を介してメッセージによる会話形式で行われる。入出力部を介したメッセージは、例えば、ユーザ端末２００ａの画面に時系列で表示される。
【００９５】
本実施の形態によるメッセージアプリケーションモジュールは、サーバ１００のみと通信を行うものに限られない。例えば、通常のメッセージアプリケーションの一部又は全部の機能を利用してサーバ１００と通信を行うこととしてもよい。
【００９６】
このように、本実施の形態によれば、ユーザ端末２００（サーバ１００）とのやりとりの履歴をメッセージアプリケーションに残すことができるため、後から閲覧することにより、徹底した健康管理を行うことができる。また、スマートフォン等に代表されるデバイスなどにおいて使用頻度の高いメッセージアプリケーション用いることにより、ユーザの操作負荷を低減することができる。
【００９７】
＜動作＞
本実施の形態に係るユーザ端末２００ａの動作を図１５を用いて説明する。メッセージアプリケーションモジュール２０２（入出力部）が健康管理対象者から入力された画像情報またはメッセージ情報を受け付ける（ステップＳ１１）。メッセージアプリケーションモジュール２０２は、当該受信した画像情報またはメッセージ情報を解析部１２０に伝達する。
【００９８】
解析部１２０は、当該受信した画像情報またはメッセージ情報から、言語情報を解析し、質問情報を取得する（ステップＳ１２）。第１の実施の形態と同様に、例えば、一例として、図９（ａ）で示すように、「運動不足を解消するためには何がお薦めですか」といった健康管理対象者からのお薦めのタスクを問い合わせるメッセージ情報を受信した場合、当該自然言語を処理し、言語情報として、図９（ｂ）で示すように、「運用不足／を／解消／する／ため／には／何／が／お薦め／ですか」といったように形態素に分解し、それぞれの品詞を判別する。当該分解および判別した言語情報および対象の健康管理対象者情報として、例えば、一例として、図９（ｃ）で示すように、年齢２０歳、身長１７０ｃｍ、体重６０ｋｇといった情報を検索キーとして、記憶部１６０に記憶する質問情報から該当する質問情報を検索し、図９（ｄ）で示すように、質問情報を取得する。取得した質問情報は、生成部１３０に伝達する。
【００９９】
生成部１３０は、取得した質問情報から、一例として、図９（ｅ）で示すように、当該質問情報に紐づく回答情報を抽出し、当該抽出された回答情報から仮説を生成し、仮説を裏付ける根拠等をもって検証する（Ｓ１３）。また、生成部１３０は、当該検証した回答情報から一例として、図９（ｆ）で示すように、文例を生成し（ステップＳ１５）、当該生成した文例と評価部１４０が評価した確信度とを併せて補正部１５０に伝達する。なお、図９（ｆ）では、文例の中にアドバイスしたお薦めタスクを選択するラジオボタンを設けており、当該ラジオボタンの指定により情報を取得するものとしているが、当該ラジオボタンに限らず、例えば、健康管理対象者の入力メッセージ情報として、「お薦めタスクのうち、ストレッチをしてみたいと思います。」といったメッセージ情報から、評価部１４０が行動選択情報を取得し、判定してもよい。
【０１００】
評価部１４０は、生成部１３０が抽出した回答情報を、生成部１３０が検証した根拠および当該回答情報の過去の評価等をもって、確信度を評価する（ステップＳ１４）。評価した確信度は、生成部１３０に戻すよう伝達する。
【０１０１】
補正部１５０は、文例および評価を健康管理対象者情報に基づいて補正する（ステップ１６）。具体的には、一例として、図８（ａ）に示すように、抽出した回答情報が、ジョギング、ストレッチ、水泳および食事制限の順で確信度が評価された場合、お薦めのランク付けも当該評価順で一旦設定される。ここで、例えば、各お薦めしているタスクの指標の「負荷」に対し、図８（ｃ）に示すように該当する健康管理対象者の行動の傾向値を示したチャートのうち「負荷が高いタスクはアドバイスに反して実施しない傾向にある」と行動が傾向付けられていた場合、お薦めの内容が必ずしも当該健康管理対象者と合致するものになっていない可能性がある。
【０１０２】
そこで、当該傾向にある場合は、「負荷」の指標に対してマイナスの重み付けをした上で指標の合計を補正値として算出し、当該補正値を確信度に加える処理等によって確信度を補正することができる。なお、補正の方法は、当該計算方法に限定されることなく、例えば、生体の特徴値または行動の傾向値と、いずれかの指標の値の二つの値の相関係数を、二つの値の共分散および標準偏差から求め、当該相関係数をもって、補正することもできる。補正後の評価に基づき、お薦めのランク付けを図８（ｂ）に示すように入れ替えることで、より健康管理対象者に合致したお薦めのタスクをアドバイスすることができる。なお、当該補正にあたって、タスクに対する健康管理対象者の傾向だけではなく、図８（ｄ）に示すようにタスクを文例に使用した履歴および頻度から補正してもよい。補正した文例および評価は、評価部１４０に戻すよう伝達する。
【０１０３】
なお、第１の実施の形態のサーバ１００を補助的に使用することとすれば、グルーピングされている他のユーザ端末２００ａの情報を取得することができる。この場合、評価部１４０が、健康管理対象者がグルーピングされているかどうか判定し、グルーピングされている場合（ステップＳ１７のＹＥＳ）には、その情報を取得するとともに所定の時間内に同一または類似もしくは相対するイラストを送信しているグループ内の他の健康管理対象者をライバルまたは目標とする人等として比較対象者と判定し、当該判定を補正部１５０に伝達する。
【０１０４】
補正部１５０は、当該判定された比較対象者に関する情報で文例および評価を補正する（ステップＳ１８）。具体的には、例えば、文例に比較対象者の名前を指定して、「△△さん（比較対象者名）も、○○さん（健康管理対象者）にお薦めしたジョギングをして頑張っています！」等の文を追加して補正することができる。補正部１５０は、判定および補正した文例および評価を、送信部１７０に伝達する。
【０１０５】
ユーザ端末２００ａがユーザ端末３００（図１参照）に接続されている場合、ユーザ端末２００ａは、カリキュラム情報から専門家のフォロー有のカリキュラムか否か判定し、当該フォロー有りのカリキュラムの場合（ステップＳ１９のＹＥＳ）、専門家のユーザ端末３００の表示部３１０に生成および補正した文例および評価を表示出力する（ステップＳ２０）。
【０１０６】
表示部３１０（図１）に表示出力された文例について、専門家は、健康管理対象者に送信すべきものとして文例を選択し、選択した文例および評価を必要に応じて編集する（ステップＳ２１）。表示部３１０は、選択および編集した文例および評価を、ユーザ端末２００ａに送信する（ステップＳ２２）。
【０１０７】
以上が、ユーザ端末２００ａの動作についての説明である。
【０１０８】
＜その他＞
本発明に係るサービスとして、健康指導サービスを取りあげているが、本発明は当該事業以外の事業においても用いることができる。特に、人の心理や精神への働きかけを用いる事業（例えば、人のモチベーションを上げるため、アドバイスを行う事業）、福祉（例えば、専門家が地域のコミュニティの福祉に対して遠隔でアドバイスする場合等）、教育等の事業において用いることができる。
【０１０９】
また、ユーザ端末（ユーザ端末２００、２００ａ）は、健康管理サーバ以外にも、地図サーバ、気象データサーバ等、ユーザに提示し得る情報を有するあらゆるデータサーバに接続されていてもよい。
【０１１０】
＜付記＞
本発明によれば、少なくとも、以下の構成を備える発明は技術的範囲に含まれる。
（構成１）
メッセージアプリケーションを有するユーザ端末とネットワークを介して接続された健康管理サーバであって、前記端末を有する健康管理対象者の質問情報および回答情報を記憶する記憶部と、前記メッセージアプリケーションを介して送信された画像情報またはメッセージ情報を受信する受信部と、前記受信したメッセージ情報に基づいて言語情報を解析し、該解析した言語情報から前記質問情報を取得する解析部と、前記取得した質問情報に対応する前記回答情報を抽出し、該抽出した回答情報に基づいて文例を生成する生成部と、前記抽出された回答情報を、該回答情報の確からしさを示す確信度で評価する評価部と、前記文例および前記評価を、前記メッセージアプリケーションに送信する送信部とを備える健康管理サーバ。
（構成２）
構成１に記載の健康管理サーバであって、前記記憶部は、前記健康管理者の健康管理者情報を更に記憶しており、前記健康管理サーバは、前記文例および前記評価を、前記健康管理対象者情報に基づいて補正する補正部を更に備え、前記送信部は、補正された前記文例および前記評価を、前記端末に対して送信する、健康管理サーバ。
（構成３）
構成２に記載の健康管理サーバであって、前記健康管理サーバは、前記メッセージアプリケーションを介して、前記端末の表示部に、前記補正された文例および評価を表示出力する健康管理サーバ。
（構成４）
構成３に記載の健康管理サーバであって、前記送信部は、専門家によって、前記表示部で選択、または、選択および編集された文例および評価を含むアドバイス情報を、前記メッセージアプリケーションに対して送信する健康管理サーバ。
（構成５）
構成２に記載の健康管理サーバであって、前記評価部は、前記評価の確信度の一定の水準に対する高低を判定し、前記判定結果に基づいて、文例を補正するか、または、アラートメッセージを生成し専門家に通知するかのいずれか一つを選択するものであって、前記補正部は、前記評価部が文例を補正することを選択した場合、前記判定結果および回避のための回答情報に基づいて前記文例を補正するものであって、前記送信部は、前記評価部が前記専門家にアラートメッセージを通知することを選択した場合、前記専門家の端末に対して、前記アラートメッセージを通知する健康管理サーバ。
（構成６）
構成２乃至構成５のいずれかに記載の健康管理サーバであって、前記受信部は、前記端末から専門家の文例選択情報、健康管理対象者の行動選択情報、行動実行情報および生体ログ情報を受信するものであって、前記評価部は、前記受信した文例選択情報、行動選択情報、行動実行情報および生体ログ情報、または、これらの情報のタイムスタンプを基に組み合わせを行い、該組み合わせた文例選択情報、行動選択情報、行動実行情報および生体ログ情報と紐づく回答情報に対して評価する健康管理サーバ。
（構成７）
構成２乃至構成６のいずれかに記載の健康管理サーバであって、前記画像情報は、前記端末で撮影されたものであって、前記解析部は、前記撮影された画像情報の特徴を算出し、該特徴および前記質問情報に基づいて、言語情報を解析する健康管理サーバ。
（構成８）
構成２乃至構成７のいずれかに記載の健康管理サーバであって、前記健康管理サーバは健康管理対象者毎の回答情報の使用頻度を算出する算出部を備え、前記記憶部は、前記健康管理対象者の前記回答情報の過去の使用履歴および使用頻度を使用履歴情報として記憶するものであって、前記補正部は、前記使用履歴情報に基づいて文例を補正する健康管理サーバ。
（構成９）
構成２乃至構成８のいずれかに記載の健康管理サーバであって、前記受信部は、予めグルーピングされた複数の端末から送信された画像情報またはメッセージ情報を受信するものであって、前記評価部は、端末に送信された文例と同一または類似もしくは相対する文例を、所定の時間内に送信されたグループ内の端末を特定し、該特定した端末を保有する健康管理対象者を比較対象者として判定し、前記補正部は、前記文例および評価に対して、さらに前記比較対象者情報に基づいて補正する健康管理サーバ。
（構成１０）
メッセージアプリケーションを有するユーザ端末とネットワークを介して接続された健康管理サーバであって、前記端末を有する健康管理対象者の質問情報および回答情報を記憶する記憶部と、前記メッセージアプリケーションを介して送信された画像情報またはメッセージ情報を受信する受信部と、前記受信したメッセージ情報に基づいて言語情報を解析し、該解析した言語情報から前記質問情報を取得する解析部と、前記取得した質問情報に対応する前記回答情報を抽出し、該抽出した回答情報に基づいて文例を生成する生成部と、前記文例を、前記メッセージアプリケーションに送信する送信部とを備える健康管理サーバ。
（構成１１）
メッセージアプリケーションを有するユーザ端末とネットワークを介して接続された健康管理サーバであって、前記端末を有する健康管理対象者の健康管理者情報、質問情報および回答情報を記憶する記憶部と、前記メッセージアプリケーションを介して送信された画像情報またはメッセージ情報を受信する受信部と、前記受信したメッセージ情報に基づいて言語情報を解析し、該解析した言語情報から前記質問情報を取得する解析部と、前記取得した質問情報に対応する前記回答情報を抽出し、該抽出した回答情報に基づいて文例を生成する生成部と、前記文例を、前記健康管理対象者情報に基づいて補正する補正部と、前記補正された文例を、前記メッセージアプリケーションに送信する送信部とを備える健康管理サーバ。
（構成１２）
構成１乃至構成１１のいずれかに記載のメッセージアプリケーション。
（構成１３）
構成１２に記載のメッセージアプリケーションを備えるユーザ端末。
（構成１４）
メッセージアプリケーションを有する端末とネットワークを介して接続された健康管理サーバの制御方法であって、前記端末を有する健康管理対象者の健康管理対象者情報および質問情報および回答情報を記憶する記憶ステップと、前記端末から送信された画像情報またはメッセージ情報を前記メッセージアプリケーションを介して受信する受信ステップと、前記受信したメッセージ情報に基づいて言語情報を解析し、該解析した言語情報から前記質問情報を取得する解析ステップと、前記取得した質問情報に対応する前記回答情報を抽出し、該抽出した回答情報に基づいて文例を生成する生成ステップと、前記抽出された回答情報を、該回答情報の確からしさを示す確信度で評価する評価ステップと、前記文例および前記評価を、前記メッセージアプリケーションに対して送信する送信ステップとを含む健康管理サーバの制御方法。
（構成１５）
メッセージアプリケーションを有する端末とネットワークを介して接続された健康管理プログラムであって、コンピュータに、前記端末を有する健康管理対象者の健康管理対象者情報および質問情報および回答情報を記憶する記憶機能と、前記端末から送信された画像情報またはメッセージ情報を前記メッセージアプリケーションを介して受信する受信機能と、前記受信したメッセージ情報に基づいて言語情報を解析し、該解析した言語情報から前記質問情報を取得する解析機能と、前記取得した質問情報に対応する前記回答情報を抽出し、該抽出した回答情報に基づいて文例を生成する生成機能と、前記抽出された回答情報を、該回答情報の確からしさを示す確信度で評価する評価機能と、前記文例および前記評価を、前記メッセージアプリケーションに対して送信する送信機能とを実現させる健康管理プログラム。
【符号の説明】
【０１１１】
１００  健康管理サーバ
１１０  受信部
１２０  解析部
１３０  生成部
１４０  評価部
１５０  補正部
１６０  記憶部
１７０  送信部
２００  ユーザ端末（健康管理対象者）
３００  ユーザ端末（専門家）
３１０  表示部
４００  ネットワーク
【図１】
2017022140.tif 000003
【図２】
2017022140.tif 000004
【図３】
2017022140.tif 000005
【図４】
2017022140.tif 000006
【図５】
2017022140.tif 000007
【図６】
2017022140.tif 000008
【図７】
2017022140.tif 000009
【図８】
2017022140.tif 000010
【図９】
2017022140.tif 000011
【図１０】
2017022140.tif 000012
【図１１】
2017022140.tif 000013
【図１２】
2017022140.tif 000014
【図１３】
2017022140.tif 000015
【図１４】
2017022140.tif 000016
【図１５】
2017022140.tif 000017
【図１６】
2017022140.tif 000018
【手続補正書】
【提出日】平成28年6月6日(2016.6.6)
【手続補正２】
【補正対象書類名】特許請求の範囲
【補正対象項目名】全文
【補正方法】変更
【補正の内容】
【特許請求の範囲】
【請求項１】
メッセージアプリケーションを有するユーザ端末とネットワークを介して接続された健康管理サーバであって、  前記端末を有する健康管理対象者から前記メッセージアプリケーションを介して送信された過去の質問情報、前記健康管理対象者の少なくとも行動情報又は生体ログ情報、および回答情報を記憶する記憶部と、  前記メッセージアプリケーションを介して送信された画像情報またはメッセージ情報を受信する受信部と、  前記受信したメッセージ情報に基づいて言語情報を解析し、該解析した言語情報から前記質問情報を取得する解析部と、  前記取得した質問情報に対応する前記回答情報を抽出し、該抽出した回答情報に基づいて文例を生成する生成部と、  前記抽出された回答情報を、少なくとも、前記健康管理対象者から送信された過去の質問情報、前記行動情報又は前記生体ログ情報のいずれかを利用して該回答情報の確からしさを示す確信度で評価する評価部と、  前記文例および前記評価を、前記メッセージアプリケーションに送信する送信部とを備える健康管理サーバ。
【請求項２】
請求項１に記載の健康管理サーバであって、  前記記憶部は、前記健康管理者の健康管理者情報を更に記憶しており、  前記健康管理サーバは、前記文例および前記評価を、前記健康管理対象者情報に基づいて補正する補正部を更に備え、  前記送信部は、補正された前記文例および前記評価を、前記端末に対して送信する、健康管理サーバ。
【請求項３】
請求項２に記載の健康管理サーバであって、前記受信部は、前記端末から専門家の文例選択情報、健康管理対象者の行動選択情報、行動実行情報および生体ログ情報を受信するものであって、  前記評価部は、前記受信した文例選択情報、行動選択情報、行動実行情報および生体ログ情報、または、これらの情報のタイムスタンプを基に組み合わせを行い、該組み合わせた文例選択情報、行動選択情報、行動実行情報および生体ログ情報と紐づく回答情報に対して評価する、健康管理サーバ。
【請求項４】
請求項２又は請求項３に記載の健康管理サーバであって、  前記画像情報は、前記端末で撮影されたものであって、  前記解析部は、前記撮影された画像情報の特徴を算出し、該特徴および前記質問情報に基づいて、言語情報を解析する健康管理サーバ。
【請求項５】
請求項２乃至請求項４のいずれかに記載の健康管理サーバであって、  前記健康管理サーバは健康管理対象者毎の回答情報の使用頻度を算出する算出部を備え、  前記記憶部は、前記健康管理対象者の前記回答情報の過去の使用履歴および使用頻度を使用履歴情報として記憶するものであって、  前記補正部は、前記使用履歴情報に基づいて文例を補正する健康管理サーバ。
【請求項６】
請求項２乃至請求項５のいずれかに記載の健康管理サーバであって、  前記受信部は、予めグルーピングされた複数の端末から送信された画像情報またはメッセージ情報を受信するものであって、  前記評価部は、端末に送信された文例と同一または類似もしくは相対する文例を、所定の時間内に送信されたグループ内の端末を特定し、該特定した端末を保有する健康管理対象者を比較対象者として判定し、  前記補正部は、前記文例および評価に対して、さらに前記比較対象者情報に基づいて補正する健康管理サーバ。
【請求項７】
請求項１乃至請求項６のいずれかに記載のメッセージアプリケーション。
【手続補正書】
【提出日】平成28年8月15日(2016.8.15)
【手続補正１】
【補正対象書類名】特許請求の範囲
【補正対象項目名】全文
【補正方法】変更
【補正の内容】
【特許請求の範囲】
【請求項１】
メッセージアプリケーションを有するユーザ端末とネットワークを介して接続された健康管理サーバであって、
前記端末を有する健康管理対象者から前記メッセージアプリケーションを介して送信された過去の質問情報、前記健康管理対象者の少なくとも行動情報又は生体ログ情報、および回答情報を記憶する記憶部と、
前記メッセージアプリケーションを介して送信されたメッセージ情報を受信する受信部と、
前記受信したメッセージ情報に基づいて言語情報を解析し、該解析した言語情報から前記質問情報を取得する解析部と、
前記取得した質問情報に対応する前記回答情報を抽出し、該抽出した回答情報に基づいて文例を生成する生成部と、
前記抽出された回答情報を、少なくとも、前記健康管理対象者から送信された過去の質問情報、前記行動情報又は前記生体ログ情報のいずれかを利用して該回答情報の確からしさを示す確信度で評価する評価部と、前記文例および前記評価を、前記メッセージアプリケーションに送信する送信部とを備える
健康管理サーバ。
【請求項２】
請求項１に記載の健康管理サーバであって、
前記記憶部は、前記健康管理者の健康管理者情報を更に記憶しており、
前記健康管理サーバは、前記文例および前記評価を、前記健康管理対象者情報に基づいて補正する補正部を更に備え、
前記送信部は、補正された前記文例および前記評価を、前記端末に対して送信する、
健康管理サーバ。
【請求項３】
請求項２に記載の健康管理サーバであって、前記受信部は、前記端末から専門家の文例選択情報、健康管理対象者の行動選択情報、行動実行情報および生体ログ情報を受信するものであって、
前記評価部は、前記受信した文例選択情報、行動選択情報、行動実行情報および生体ログ情報、または、これらの情報のタイムスタンプを基に組み合わせを行い、該組み合わせた文例選択情報、行動選択情報、行動実行情報および生体ログ情報と紐づく回答情報に対して評価する、
健康管理サーバ。
【請求項４】
請求項２又は請求項３に記載の健康管理サーバであって、
前記画像情報は、前記端末で撮影されたものであって、
前記解析部は、前記撮影された画像情報の特徴を算出し、該特徴および前記質問情報に基づいて、言語情報を解析する
健康管理サーバ。
【請求項５】
請求項２乃至請求項４のいずれかに記載の健康管理サーバであって、
前記健康管理サーバは健康管理対象者毎の回答情報の使用頻度を算出する算出部を備え、
前記記憶部は、前記健康管理対象者の前記回答情報の過去の使用履歴および使用頻度を使用履歴情報として記憶するものであって、
前記補正部は、前記使用履歴情報に基づいて文例を補正する
健康管理サーバ。
【請求項６】
請求項２乃至請求項５のいずれかに記載の健康管理サーバであって、
前記受信部は、予めグルーピングされた複数の端末から送信された画像情報またはメッセージ情報を受信するものであって、
前記評価部は、端末に送信された文例と同一または類似もしくは相対する文例を、所定の時間内に送信されたグループ内の端末を特定し、該特定した端末を保有する健康管理対象者を比較対象者として判定し、
前記補正部は、前記文例および評価に対して、さらに前記比較対象者情報に基づいて補正する
健康管理サーバ。
【請求項７】
メッセージアプリケーションを有するユーザ端末用プログラムであって、
健康管理対象者から前記メッセージアプリケーションを介して入力された過去の質問情報、前記健康管理対象者の少なくとも行動情報又は生体ログ情報、および回答情報を記憶する記憶部と、
前記メッセージアプリケーションを介して入力されたメッセージ情報を受信する受信部と、
前記受信したメッセージ情報に基づいて言語情報を解析し、該解析した言語情報から前記質問情報を取得する解析部と、
前記取得した質問情報に対応する前記回答情報を抽出し、該抽出した回答情報に基づいて文例を生成する生成部と、
前記抽出された回答情報を、少なくとも、前記健康管理対象者から入力された過去の質問情報、前記行動情報又は前記生体ログ情報のいずれかを利用して該回答情報の確からしさを示す確信度で評価する評価部と、前記文例および前記評価を、前記メッセージアプリケーションに送信する送信部とを備える
ユーザ端末用プログラム。
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
メッセージアプリケーションを有するユーザ端末とネットワークを介して接続された健康管理サーバであって、
前記端末を有する健康管理対象者から前記メッセージアプリケーションを介して送信された過去の質問情報、前記健康管理対象者の少なくとも行動情報又は生体ログ情報、および回答情報を記憶する記憶部と、
前記メッセージアプリケーションを介して送信されたメッセージ情報を受信する受信部と、
前記受信したメッセージ情報に基づいて言語情報を解析し、該解析した言語情報から前記質問情報を取得する解析部と、
前記取得した質問情報に対応する前記回答情報を抽出し、該抽出した回答情報に基づいて文例を生成する生成部と、
前記抽出された回答情報を、少なくとも、前記健康管理対象者から送信された過去の質問情報、前記行動情報又は前記生体ログ情報のいずれかを利用して該回答情報の確からしさを示す確信度で評価する評価部と、前記文例および前記評価を、前記メッセージアプリケーションに送信する送信部とを備える
健康管理サーバ。
【請求項２】
請求項１に記載の健康管理サーバであって、
前記記憶部は、前記健康管理者の健康管理者情報を更に記憶しており、
前記健康管理サーバは、前記文例および前記評価を、前記健康管理対象者情報に基づいて補正する補正部を更に備え、
前記送信部は、補正された前記文例および前記評価を、前記端末に対して送信する、
健康管理サーバ。
【請求項３】
請求項２に記載の健康管理サーバであって、前記受信部は、前記端末から専門家の文例選択情報、健康管理対象者の行動選択情報、行動実行情報および生体ログ情報を受信するものであって、
前記評価部は、前記受信した文例選択情報、行動選択情報、行動実行情報および生体ログ情報、または、これらの情報のタイムスタンプを基に組み合わせを行い、該組み合わせた文例選択情報、行動選択情報、行動実行情報および生体ログ情報と紐づく回答情報に対して評価する、
健康管理サーバ。
【請求項４】
請求項２又は請求項３に記載の健康管理サーバであって、
前記画像情報は、前記端末で撮影されたものであって、
前記解析部は、前記撮影された画像情報の特徴を算出し、該特徴および前記質問情報に基づいて、言語情報を解析する
健康管理サーバ。
【請求項５】
請求項２乃至請求項４のいずれかに記載の健康管理サーバであって、
前記健康管理サーバは健康管理対象者毎の回答情報の使用頻度を算出する算出部を備え、
前記記憶部は、前記健康管理対象者の前記回答情報の過去の使用履歴および使用頻度を使用履歴情報として記憶するものであって、
前記補正部は、前記使用履歴情報に基づいて文例を補正する
健康管理サーバ。
【請求項６】
請求項２乃至請求項５のいずれかに記載の健康管理サーバであって、
前記受信部は、予めグルーピングされた複数の端末から送信された画像情報またはメッセージ情報を受信するものであって、
前記評価部は、端末に送信された文例と同一または類似もしくは相対する文例を、所定の時間内に送信されたグループ内の端末を特定し、該特定した端末を保有する健康管理対象者を比較対象者として判定し、
前記補正部は、前記文例および評価に対して、さらに前記比較対象者情報に基づいて補正する
健康管理サーバ。
【国際調査報告】
2017022140.tif 000019
2017022140.tif 000020
2017022140.tif 000021
2017022140.tif 000022